(57)【要約】【課題】  非接触方式で身元情報を読み取ることができ、認証手続きが簡素化し、録音者により選択された受信者が意図しなくとも音声メッセージを自動再生でき、効率的に音声メッセージを受信者に伝達することができる音声掲示板装置及びその制御方法を提供する。【解決手段】  音声掲示板使用者の身元情報を格納するタグと、該タグから非接触方式で身元情報を受信する身元情報入力部と、該身元情報入力部から録音者及び／または受信者の身元情報を受信し、該身元情報を音声メッセージに対する録音または／及び再生のために認証する制御部とを備える。【選択図】      図１
2006053899.tif 000002
【特許請求の範囲】
【請求項１】
音声掲示板使用者の身元情報を格納するタグと、
該タグから非接触方式で身元情報を受信する身元情報入力部と、
該身元情報入力部から録音者及び／または受信者の身元情報を受信し、該身元情報を音声メッセージに対する録音または／及び再生のために認証する制御部とを備えることを特徴とする音声掲示板装置。
【請求項２】
前記タグは、ＲＦ信号に応答して前記身元情報を無線出力し、
前記身元情報入力部は、前記ＲＦ信号を前記タグに送信し、該タグから身元情報を受信することを特徴とする請求項１に記載の音声掲示板装置。
【請求項３】
前記制御部は、前記音声メッセージを録音する録音者を認証するとともに、録音された音声メッセージの受信者に対する身元情報を受信することを特徴とする請求項１に記載の音声掲示板装置。
【請求項４】
前記制御部は、前記録音者により選択された受信者を認証する場合、該受信者に対して録音された音声メッセージを再生することを特徴とする請求項３に記載の音声掲示板装置。
【請求項５】
前記音声メッセージの再生は、前記受信者がそれを意図しなくとも自動的に行われることを特徴とする請求項４に記載の音声掲示板装置。
【請求項６】
使用者の入力命令を入力するための入力部をさらに備え、該入力部を介して前記制御部が前記受信者の身元情報を受信することを特徴とする請求項３に記載の音声掲示板装置。
【請求項７】
前記入力部は、使用者の操作により動作するタッチパッドであることを特徴とする請求項６に記載の音声掲示板装置。
【請求項８】
前記音声掲示板装置は、冷蔵庫、テレビ、電子レンジ、空気調和機のうちいずれか一つに適用されることを特徴とする請求項１に記載の音声掲示板装置。
【請求項９】
音声掲示板に音声メッセージを録音する録音者の身元を非接触方式で認証し、
認証した録音者により録音された音声メッセージ及び録音者の身元情報を格納し、
前記音声メッセージの受信者に対する身元情報を受信し、選択された受信者の身元情報を格納し、
前記選択された受信者が認証された場合、録音され音声メッセージを再生することを特徴とする音声掲示板装置の制御方法。
【請求項１０】
前記録音者または受信者に対する認証は、
前記録音者または受信者に付着したタグから身元情報を受信し、
この受信した身元情報と事前に登録された身元情報とを比較し、
該両者の情報が一致すると、前記受信した身元情報を認証し、
前記両者の情報が一致しないと、前記受信した身元情報を認証しないことを特徴とする請求項９に記載の音声掲示板装置の制御方法。
【請求項１１】
前記録音者により選択された受信者を認証する場合、前記受信者がメッセージ再生を意図しなくとも前記音声メッセージを自動再生することを特徴とする請求項９に記載の音声掲示板装置の制御方法。
【請求項１２】
身元情報を無線受信するＲＦ受信部と、
前記受信された身元情報を認証し、該受信された身元情報の認証に応じて音声メッセージを再生するように制御する、前記ＲＦ受信部に接続される制御部とを備えることを特徴とする音声掲示板装置。
【請求項１３】
前記制御部は、前記受信された身元情報の認証に応じて音声メッセージを録音するように制御することを特徴とする請求項１２に記載の音声掲示板装置。
【請求項１４】
前記身元情報を格納する遠隔タグをさらに備えることを特徴とする請求項１３に記載の音声掲示板装置。
【請求項１５】
前記遠隔タグは、ＲＦ信号に応じて前記身元情報を無線出力することを特徴とする請求項１４に記載の音声掲示板装置。
【請求項１６】
前記ＲＦ受信部は、ＲＦ送受信部であって、ＲＦ信号を送信するように動作可能であり、前記ＲＦ送受信部は、前記ＲＦ信号を前記遠隔タグに送信し、前記遠隔タグから身元情報を受信することを特徴とする請求項１５に記載の音声掲示板装置。
【請求項１７】
前記音声掲示板は、家電機器に組み込まれることを特徴とする請求項１２に記載の音声掲示板装置。
【請求項１８】
前記家電機器は、冷蔵庫、テレビ、電子レンジ及び空気調和機のうちいずれか一つであることを特徴とする請求項１７に記載の音声掲示板装置。
【発明の詳細な説明】
【技術分野】
【０００１】
本発明は、音声掲示板装置及びその制御方法に関し、より詳細には、音声掲示板装置を使用するための認証手続きを改善した音声掲示板装置及びその制御方法に関する。
【背景技術】
【０００２】
音声掲示板装置は、音声メッセージを録音し再生するためのもので、インターネットと携帯電話などに広く適用されている。
【０００３】
このような音声掲示板装置を使用するためには、掲示板使用が許容される使用者であることを確認する認証手続きを行うべきであり、このために、音声掲示板装置は、音声メッセージを録音／再生する人の身元を認証するためのメニュー情報とともに、録音者及び受信者の身元情報を受信して使用者認証を行うログインシステムが必要とされる。
【０００４】
音声メッセージ録音の場合、音声掲示板装置は、録音する人の身元情報、例えば名前、パスワードなどをユーザーインターフェースから受信し、この受信された身元情報を認証しなければならなく、また、音声メッセージの受信者が受信した音声メッセージを再生する場合にも、音声掲示板装置は、受信者の身元情報をユーザーインターフェースから受信し、この受信した身元情報を認証しなければならず、使用者に不便を感じさせてきた。したがって、複雑な使用者認証手続きを簡素化し、使用上の不便を低減する方法が望まれている。
【０００５】
また、受信者は自分に送られてきた音声メッセージが録音されていても、この音声メッセージを即座に聞けず、音声メッセージの存在を手動で確認する前には聞くことができない。このように、受信者は、希望する音声メッセージを聞くために複数の録音された音声メッセージから自分のメッセージだけを手動で探さねばならず、不便だった。
【０００６】
また、従来の音声掲示板装置は、録音された音声メッセージを、録音者により選択された受信者が手動で確認する前にはその音声メッセージを再生することができず、受信者に音声メッセージを能動的で効果的に伝達することができなかった。
【発明の開示】
【発明が解決しようとする課題】
【０００７】
本発明は上記の問題点を解決するためのもので、その目的は、音声掲示板装置を使用するための認証手続きを簡素化し、受信者が音声掲示板装置の前を通り過ぎる際に音声メッセージを自動再生可能にした音声掲示板装置及びその制御方法を提供することにある。
【課題を解決するための手段】
【０００８】
上記目的を達成するために、本発明に係る音声掲示板装置は、音声掲示板使用者の身元情報を格納するタグと、該タグから非接触方式で身元情報を受信する身元情報入力部と、該身元情報入力部から録音者及び／または受信者の身元情報を受信し、該身元情報を音声メッセージに対する録音または／及び再生のために認証する制御部と、を備えることを特徴とする。
【０００９】
前記タグは、ＲＦ(無線周波数)信号に応答して前記身元情報を無線出力し、前記身元情報入力部は、前記ＲＦ信号を前記タグに送信し、該タグから身元情報を受信する。
【００１０】
前記制御部は、前記音声メッセージを録音する録音者を認証するとともに、録音された音声メッセージの受信者に対する身元情報を受信する。前記制御部は、前記録音者により選択された受信者を認証する場合、該受信者に対して録音された音声メッセージを再生する。
【００１１】
前記音声メッセージの再生は、前記受信者がそれを意図しなくとも自動的に行われる。
【００１２】
使用者の入力命令を入力するための入力部をさらに備え、該入力部を介して前記制御部が前記受信者の身元情報を受信する。
【００１３】
前記入力部は、使用者の操作により動作するタッチパッドである。
【００１４】
前記音声掲示板装置は、冷蔵庫、テレビ、電子レンジ、空気調和機のうちいずれか一つに適用される。
【００１５】
上記目的を達成するために、本発明に係る音声掲示板装置の制御方法は、音声掲示板に音声メッセージを録音する録音者の身元を非接触方式で認証し、認証した録音者により録音された音声メッセージ及び録音者の身元情報を格納し、前記音声メッセージの受信者に対する身元情報を受信し、選択された受信者の身元情報を格納し、前記選択された受信者が認証された場合、録音され音声メッセージを再生することを特徴とする。
【００１６】
前記録音者または受信者に対する認証は、前記録音者または受信者に付着したタグから身元情報を受信し、この受信した身元情報と事前に登録された身元情報とを比較し、
該両者の情報が一致すると、前記受信した身元情報を認証し、前記両者の情報が一致しないと、前記受信した身元情報を認証しないことを特徴とする。
【００１７】
前記録音者により選択された受信者を認証する場合、前記受信者がメッセージ再生を意図しなくとも前記音声メッセージを自動再生する。
【発明の効果】
【００１８】
本発明によれば、非接触方式で身元情報を読み取って録音する人と受信する人を認証するため、別途のユーザーインターフェースを用いた入力動作が省かれ、認証手続きが簡素化する。また、本発明は、受信者が音声掲示板装置の前を通り過ぎる際に、非接触方式で受信者の身元情報を認証するため、録音された音声メッセージを自動再生することができる。要するに、本発明の音声掲示板装置は、録音時に選択された受信者に音声メッセージを能動的で効率的に伝達するため、受信者は、送られたきた音声メッセージを別途の操作無しにも容易に聞くことができる。
【発明を実施するための最良の形態】
【００１９】
以下、本発明の好適な実施の形態について、添付の図面に基づいて詳細に説明する。
【００２０】
図１に示すように、本発明による音声掲示板装置１００は、音声メッセージの録音と再生を含めた全般的な動作を制御するシステム制御部１１０を備える。
【００２１】
システム制御部１１０は、制御動作を行うためのソフトウェア１１１を内蔵する。ソフトウェア１１１は、使用者登録管理のためのユーザーデータ、音声メッセージの録音／再生処理のための制御プログラム及び録音された音声データなどを格納する。
【００２２】
音声掲示板装置１００は、使用者入力命令を受信するためのタッチパッド１２０、音声メッセージの録音／再生時に案内情報とグラフィック情報を表示する液晶表示部１３０、音声を録音するマイク１５０、及び録音された音声を再生するスピーカー１６０を備える。
【００２３】
また、本発明による音声掲示板装置１００は、録音者または受信者２００に付着したＲＦ  ＩＤタグ２１０を用いて非接触方式で認証手続きを行うためのＲＦ送受信部１４０をさらに備える。ＲＦ  ＩＤタグ２１０は、使用者２００の身元情報(例えは、名前及びパスワードなど)を格納する情報格納用チップを備える。
【００２４】
システム制御部１１０は、ＲＦ送受信部１４０を介してＲＦ信号を送出し、録音者または受信者のＲＦ  ＩＤタグ２１０から読み取った身元情報を、事前に登録された身元情報と比較して認証手続きを行う。このとき、録音者または受信者は、別途のユーザーインターフェースを使用する面倒な入力動作を行わず、単に音声掲示板装置の前にしばらく留まったり通り過ぎることだけで認証を受け、結果として認証手続きが簡素化する。
【００２５】
また、システム制御部１１０は、録音された音声メッセージに対する受信者が録音者により選択された場合、音声掲示板装置の前を通り過ぎる人に付着されたＲＦ
ＩＤタグの身元情報をチェックする。この結果、音声掲示板装置の前を通り過ぎる人が選択された受信者として確認されると、システム制御部１１０は、受信者による別途の動作がなくても録音者により録音された音声メッセージを自動再生し、スピーカー１６０から音声出力する。したがって、音声掲示板装置の前を通り過ぎる受信者は、自分に送られた音声メッセージを便利に聞くことができる。
【００２６】
本発明による音声掲示板装置１００は、多くの人々が音声メッセージを送受信できるように各種ビルや家庭に設置することができる。この場合、音声掲示板装置１００は、独立した製品としても良く、施設物に備えられる家電機器に一体として組み込んでも良い。例えば、図４に示すように、本発明の音声掲示板装置１００は、冷蔵庫５００に組み込まれて家族構成員が情報を相互伝達する媒体とすることもできる。
【００２７】
次に、上記の構成を有する本発明による音声掲示板装置の動作について説明する。
【００２８】
図２を参照すると、音声メッセージを録音する場合、ＲＦ  ＩＤタグ２１０を付着した録音者２００(図１)は、タッチパッド１２０の録音ボタンを押下する(ステップ３０１)。システム制御部１１０は、ＲＦ送受信部１４０を介してＲＦ信号を送出し、録音者のＲＦ  ＩＤタグ２１０に格納された身元情報を読み取り、この読み取った録音者の身元情報と事前に登録された情報とを比較し、両者の情報が一致すると認証を行う(ステップ３０３)。認証が終わると、録音者は、マイク１５０を用いて音声メッセージを録音する(ステップ３０５)。システム制御部１１０は、録音者の身元と音声メッセージを格納する(ステップ３０７)。録音者は、タッチパッド１２０を用いてメッセージを伝達しようとする受信者を選択する(ステップ３０９)。システム制御部１１０は、録音者により選択された受信者に対する情報を、録音された音声メッセージと連関して格納する(ステップ３１１)。
【００２９】
図３を参参照すると、受信者に伝達する音声メッセージがある場合、システム制御部１１０は、音声掲示板装置を通り過ぎる人の身元情報を読み取るためにＲＦ送受信部１４０を介してＲＦ信号を送出する(ステップ４０１)。システム制御部１１０は、ＲＦ送受信部１４０からＲＦ信号に対する応答が送出されるか否か、すなわち、音声掲示板装置に接近する人がいるか判断する(ステップ４０３)、この判断結果、ＲＦ送受信部１４０から応答信号がある場合、この応答信号、すなわち装置の前を通り過ぎる人に付着したＲＦ
ＩＤタグから読み取った身元情報と、録音された音声メッセージの受信者に対する身元情報とを比較する(ステップ４０５)。両者の身元情報が一致するか判断し(ステップ４０７)、それらが一致すると、システム制御部１１０は、録音された音声メッセージを自動再生方式でスピーカー１６０から音声出力する(ステップ４０９)。録音された音声メッセージの再生が終わると、録音者による新しい音声メッセージの録音のために待機状態に入る(ステップ４１１)。
【００３０】
一方、ステップ４０７において両者の身元情報が一致しない場合には、動作４１１に進行して待機状態に入る。
【図面の簡単な説明】
【００３１】
【図１】本発明による音声掲示板装置のブロック構成図である。
【図２】本発明による音声掲示板装置を用いて音声メッセージを録音する過程を説明するためのフローチャートである。
【図３】本発明による音声掲示板装置を用いて録音された音声メッセージを自動再生する過程を説明するためのフローチャートである。
【図４】本発明による音声掲示板装置を冷蔵庫に適用した例を示す図である。
【符号の説明】
【００３２】
１１０  システム制御部
１１１  ソフトウェア
１２０  タッチパッド
１３０  液晶表示部
１４０  ＲＦ送受信部
１５０  マイク
１６０  スピーカー
【図１】
2006053899.tif 000003
【図２】
2006053899.tif 000004
【図３】
2006053899.tif 000005
【図４】
2006053899.tif 000006